(57)【要約】【課題】安定した電気光学特性が得られる複数の電気光学素子を備えた電気光学装置、この電気光学装置を備えた光書き込みヘッド、画像形成装置、電子機器を提供すること。【解決手段】本適用例の電気光学装置としての発光装置３０は、基板上において第１の方向（Ｘ方向）に千鳥状に配列した電気光学素子としての発光素子１０と、２つの発光素子１０を含む膜形成領域Ｅを１つの単位として区画すると共に、複数の発光素子１０を複数の単位に区画する隔壁部１１とを備え、発光素子１０を構成する少なくとも１つの膜が液体プロセスを用いて膜形成領域Ｅに形成され、膜形成領域Ｅは、発光素子１０が設けられた素子区画部１３と、素子区画部１３よりも大きな平面積を有し素子区画部１３に繋がる液溜り部１２とを有し、素子区画部１３は、Ｘ方向において一定の幅ｂを有し、Ｘ方向における液溜り部の幅ａよりも上記一定の幅ｂの方が小さい。【選択図】図３
2010182473.tif 000002
【特許請求の範囲】
【請求項１】
基板上において少なくとも第１の方向に配列した複数の電気光学素子と、
前記複数の電気光学素子のうちの少なくとも１つの電気光学素子を含む膜形成領域を１つの単位として区画すると共に、前記複数の電気光学素子を複数の前記単位に区画する隔壁部とを備え、
前記少なくとも１つの電気光学素子を構成する少なくとも１つの膜が液体プロセスを用いて前記膜形成領域に形成され、
前記膜形成領域は、前記少なくとも１つの電気光学素子が設けられた素子区画部と、前記素子区画部よりも大きな平面積を有し前記素子区画部に繋がる液溜り部とを有し、
前記素子区画部は、前記第１の方向において一定の幅を有し、前記第１の方向における前記液溜り部の幅よりも前記一定の幅が小さいことを特徴とする電気光学装置。
【請求項２】
１つの前記液溜り部に対して複数の前記素子区画部が繋がっていることを特徴とする請求項１に記載の電気光学装置。
【請求項３】
前記隔壁部は、前記複数の前記素子区画部の間を仕切る仕切り部を有し、
前記仕切り部の少なくとも前記液溜り部側の端部の幅が、前記端部を除く前記仕切り部の幅よりも広いことを特徴とする請求項１または２に記載の電気光学装置。
【請求項４】
前記素子区画部の前記第１の方向と交差する方向における両側に前記液溜り部が設けられていることを特徴とする請求項２または３に記載の電気光学装置。
【請求項５】
前記第１の方向に隣り合う少なくとも２つの前記膜形成領域は、前記素子区画部の前記両側に設けられた前記液溜り部のうちの一方を共有し、共有する前記液溜り部を介して前記素子区画部同士が繋がっていることを特徴とする請求項４に記載の電気光学装置。
【請求項６】
前記第１の方向に隣り合うすべての前記膜形成領域は、前記素子区画部の前記両側に設けられた前記液溜り部のうちの一方を互いに共有していることを特徴とする請求項５に記載の電気光学装置。
【請求項７】
前記素子区画部は、前記電気光学素子が前記第１の方向と交差する方向に配列した素子列を１列または２列有することを特徴とする請求項１乃至６のいずれか一項に記載の電気光学装置。
【請求項８】
前記素子列は、前記電気光学素子の配列方向に沿って設けられた前記隔壁部または前記仕切り部に対して一定の距離をおいて設けられていることを特徴とする請求項７に記載の電気光学装置。
【請求項９】
前記電気光学素子が発光素子であることを特徴とする請求項１乃至８のいずれか一項に記載の電気光学装置。
【請求項１０】
請求項９に記載の電気光学装置を備えたことを特徴とする光書き込みヘッド。
【請求項１１】
請求項１０の光書き込みヘッドを備えたことを特徴とする画像形成装置。
【請求項１２】
請求項１乃至９のいずれか一項に記載の電気光学装置を備えたことを特徴とする電子機器。
【発明の詳細な説明】
【技術分野】
【０００１】
本発明は、液体プロセスにより形成される電気光学素子を有する電気光学装置、光書き込みヘッド、画像形成装置、電子機器に関する。
【背景技術】
【０００２】
上記電気光学装置としては、電気光学素子としての複数の発光素子と、複数の発光素子を囲む隔壁部とを備えた発光装置が知られている（特許文献１〜特許文献３）。
【０００３】
上記特許文献１〜特許文献３の発光装置は、いずれも隔壁部に囲まれた領域において、発光素子の発光層を液体プロセスで形成するものである。
また、特許文献１および特許文献２では、液体プロセスを考慮して、隔壁部と発光素子との距離関係を規定している。
特許文献３では、隔壁部により囲まれた領域が矩形状であり、短手方向における隔壁部の間隔は、長手方向の中央部における間隔よりも長手方向の端部における間隔の方が広いことを特徴としている。さらに、上記長手方向の端部における隔壁部の間隔が広い部分を液溜部とすることが開示されている。
【０００４】
これらの発光装置における特徴は、発光素子が設けられる領域において、ほぼ均一な膜厚の発光層を液体プロセスで得ることを目的として構成されている。
【０００５】
また、液体プロセスを用いた他のデバイスの形成方法としては、基板上においてバンクにより縁取られたパターン形成領域に、液状の導電性材料の液滴を吐出して、導電性材料層を形成する配線パターン形成方法が知られている（特許文献４）。
【０００６】
上記配線パターン形成方法では、上記パターン形成領域が、第１の幅を有する第１領域と、第１領域と接すると共に第１の幅以下の第２の幅を有する第２領域とを有している。そして、第１の幅以下かつ第２の幅以上の直径の液滴を第１領域に吐出することにより、第１領域と第２領域に亘る導電性材料層を形成している。すなわち、第１領域に吐出された液滴が第２領域に濡れ広がることを利用して成膜している。
【先行技術文献】
【特許文献】
【０００７】
【特許文献１】特開２００７−８７６９３号公報
【特許文献２】特開２００７−８７６９４号公報
【特許文献３】特開２００７−８７６９５号公報
【特許文献４】特開２００６−６６６７３号公報
【発明の概要】
【発明が解決しようとする課題】
【０００８】
上記特許文献１〜特許文献３の発光装置では、複数の発光素子が設けられる領域を１つの隔壁部で囲み、その中に吐出ヘッドから発光材料を含む液状組成物を液滴として吐出し、これを乾燥することにより、発光層を形成している。このような液体プロセスとしての液滴吐出法においては、液状組成物を吐出ヘッドから液滴として吐出可能な低粘度状態とする必要がある。その代表的な方法の１つとして液状組成物における発光材料の濃度を低く抑える方法が挙げられる。
しかしながら、発光材料の濃度を低く抑えると、乾燥工程における溶媒の乾燥状態の影響を受け易くなり、発光層の膜厚が安定し難いという課題があった。
また、液状組成物を吐出して得られる発光層の膜厚が小さくなるので、所望の膜厚の発光層を得るには、液状組成物の吐出工程と乾燥工程とを繰り返す必要が生ずる。すなわち、生産性が低下するという課題があった。
【０００９】
このような技術的な課題は、上記特許文献４の配線パターン形成方法においても、同様に生ずることが考えられる。
【課題を解決するための手段】
【００１０】
本発明は、上述の課題の少なくとも一部を解決するためになされたものであり、以下の形態または適用例として実現することが可能である。
【００１１】
［適用例１］本適用例の電気光学装置は、基板上において少なくとも第１の方向に配列した複数の電気光学素子と、前記複数の電気光学素子のうちの少なくとも１つの前記電気光学素子を含む膜形成領域を１つの単位として区画すると共に、前記複数の電気光学素子を複数の前記単位に区画する隔壁部とを備え、前記電気光学素子を構成する少なくとも１つの膜が液体プロセスを用いて前記膜形成領域に形成され、前記膜形成領域は、前記電気光学素子が設けられた素子区画部と、前記素子区画部よりも大きな平面積を有し前記素子区画部に繋がる液溜り部とを有し、前記素子区画部は、前記第１の方向において一定の幅を有し、前記第１の方向における前記液溜り部の幅よりも前記一定の幅が小さいことを特徴とする。
【００１２】
この構成によれば、液体プロセスを用いて電気光学素子を構成する少なくとも１つの膜を形成する際に、膜形成領域に塗布された液状組成物は、素子区画部と液溜り部とに濡れ広がる。第１の方向における素子区画部の幅は液溜り部の幅よりも小さいため、所定量の液状組成物を膜形成領域に塗布したとしても、素子区画部に塗布された液状組成物は、その表面張力や界面張力に起因して液溜り部に比べて盛り上がらない。そのため、素子区画部では乾燥にともなう曲率の低下が液溜り部に比べて大きく、素子区画部における液状組成物の内圧は、液溜り部に比べて低くなる。それゆえ、素子区画部と液溜り部との間で内圧に差が生ずる。
したがって、塗布された液状組成物の乾燥が進行するに連れて液状組成物の溶媒が液溜り部から素子区画部へと移動する。溶媒の移動に伴って溶質も移動するため、乾燥後に得られる膜は、素子区画部側が液溜り部側に比べて厚くなり易い。
ゆえに、膜形成領域において、液溜り部は液溜りとして機能するだけでなく、液状組成物を素子区画部側に供給する機能を有し、液状組成物が低濃度であっても、素子区画部において所望の膜厚を有する膜を得ることができる。
個々の膜形成領域において所望の膜厚を有する膜が実現されているため、全体として安定した電気光学特性を有する電気光学素子を備えた電気光学装置を提供できる。
【００１３】
［適用例２］上記適用例の電気光学装置において、１つの前記液溜り部に対して複数の前記素子区画部が繋がっているとしてもよい。
この構成によれば、塗布された液状組成物を液溜り部から複数の素子区画部側に供給することができる。言い換えれば、液溜り部に繋がった複数の素子区画部の間において、電気光学素子を構成する膜の膜厚の平準化が可能となる。よって、電気光学素子間の電気特性が安定した電気光学装置を提供できる。
【００１４】
［適用例３］上記適用例の電気光学装置において、前記隔壁部は、前記複数の前記素子区画部の間を仕切る仕切り部を有し、前記仕切り部の少なくとも前記液溜り部側の端部の幅が、前記端部を除く前記仕切り部の幅よりも広いことが好ましい。
この構成によれば、液溜り部と素子区画部との接続部における上記第１の方向の幅が、素子区画部の他の部分の幅よりも狭くなる。したがって、塗布された液状組成物の乾燥における溶媒の移動が助長される。
【００１５】
［適用例４］上記適用例の電気光学装置において、前記素子区画部の前記第１の方向と交差する方向における両側に前記液溜り部が設けられていることが好ましい。
この構成によれば、素子区画部へより多くの液状組成物を流入させ、所望の膜厚を有する膜が効率よく成膜される。
【００１６】
［適用例５］上記適用例の電気光学装置において、前記第１の方向に隣り合う少なくとも２つの前記膜形成領域は、前記素子区画部の前記両側に設けられた前記液溜り部のうちの一方を共有し、共有する前記液溜り部を介して前記素子区画部同士が繋がっているとしてもよい。
この構成によれば、隣り合う少なくとも２つの膜形成領域間の素子区画部における膜の膜厚の平準化が可能となる。したがって、電気光学素子間の電気光学特性がより安定する。
【００１７】
［適用例６］上記適用例の電気光学装置において、前記第１の方向に隣り合うすべての前記膜形成領域は、前記素子区画部の前記両側に設けられた前記液溜り部のうちの一方を互いに共有しているとしてもよい。
この構成によれば、隣り合うすべての膜形成領域間の素子区画部における膜の膜厚の平準化が可能となる。したがって、複数の電気光学素子の電気光学特性がより安定する。
【００１８】
［適用例７］上記適用例の電気光学装置において、前記素子区画部は、前記電気光学素子が前記第１の方向と交差する方向に配列した素子列を１列または２列有することを特徴とする。
この構成によれば、素子列内の電気光学素子における電気光学特性が安定する。また、素子列が２列の場合には、素子列間の電気光学特性が対称性を有することになり、電気光学装置の電気光学特性のばらつきが抑制される。
【００１９】
［適用例８］上記適用例の電気光学装置において、前記素子列は、前記電気光学素子の配列方向に沿って設けられた前記隔壁部または前記仕切り部に対して一定の距離をおいて設けられていることが好ましい。
この構成によれば、素子区画部の隔壁部の間、あるいは隔壁部と仕切り部との間において、膜の膜厚に偏りを有していても、隔壁部または仕切り部から一定の距離をおいて電気光学素子が設けられるため、電気光学素子間における膜の膜厚の偏りをほぼ一定とすることができる。
【００２０】
［適用例９］上記適用例の電気光学装置において、前記電気光学素子が発光素子であることを特徴とする。
この構成によれば、安定した電気光学特性すなわち発光特性を有する発光素子を備えた電気光学装置を提供することができる。
【００２１】
［適用例１０］本適用例の光書き込みヘッドは、上記適用例の電気光学装置を備えたことを特徴とする。
この構成によれば、発光特性のばらつきに起因する光書き込みのむらが抑制された光書き込みヘッドを供給することができる。
【００２２】
［適用例１１］本適用例の画像形成装置は、上記適用例の光書き込みヘッドを備えたことを特徴とする。
この構成によれば、形成される画像のコントラストや色調などのむらが少ない安定した品質を有する画像形成装置を提供できる。
【００２３】
［適用例１２］本適用例の電子機器は、上記適用例の電気光学装置を備えたことを特徴とする。
この構成によれば、安定した電気光学特性を有する電気光学装置を備えた電子機器を提供することができる。
【図面の簡単な説明】
【００２４】
【図１】発光画素の配置を示す概略平面図。
【図２】（ａ）は発光装置の電気的な構成を示す概略図、（ｂ）は発光素子の構成を示す模式図。
【図３】（ａ）は実施例１の発光装置の構成を示す概略平面図、（ｂ）は（ａ）のＡ−Ａ’線で切った断面図。
【図４】実施例１の発光装置の製造方法を示すフローチャート。
【図５】（ａ）〜（ｄ）は発光装置の製造方法を示す概略図。
【図６】（ｅ）〜（ｈ）は発光装置の製造方法を示す概略図。
【図７】実施例２の発光装置の構成を示す概略平面図。
【図８】実施例３の発光装置の構成を示す概略平面図。
【図９】実施例４の発光装置の構成を示す概略平面図。
【図１０】実施例５の発光装置の構成を示す概略平面図。
【図１１】光書き込みヘッドの構成を示す概略斜視図。
【図１２】画像形成装置の構成を示す概略断面図。
【図１３】変形例の発光装置の構成を示す概略平面図。
【発明を実施するための形態】
【００２５】
以下、本発明を具体化した実施形態について図面に従って説明する。なお、使用する図面は、説明する部分が認識可能な状態となるように、適宜拡大または縮小して表示している。
【００２６】
（実施形態１）
＜電気光学装置＞
本実施形態は、電気光学素子を有する電気光学装置として、発光素子を有する発光装置を例に説明する。図１は発光画素の配置を示す概略平面図、図２（ａ）は発光装置の電気的な構成を示す概略図、同図（ｂ）は発光素子の構成を示す模式図である。
【００２７】
図１に示すように、本実施形態の発光装置３０は、後述する素子基板の長手方向である第１の方向に配列した略円形の発光画素を有する。以降、第１の方向をＸ方向とし、これに直交する方向をＹ方向として説明する。発光画素は、Ｘ方向に所定の配置ピッチＰｘで２列に配置されている。該２列の発光画素はＸ方向において互いにずれて配置されており、所謂千鳥状となっている。このような発光画素の列を総称して以降「画素列」と呼ぶ。画素列の両端側に位置する複数の発光画素は、ダミー画素となっている。ここで本実施形態においてダミー画素とは、画素において発光素子から出射された発光光が、表示装置の表示またはプリンターヘッドの光源または照明装置の光源等に利用されない画素、または光を発しない画素を指す。
【００２８】
ダミー画素を除く有効な発光画素の数は、例えば、１２２８８０個である。後述する素子基板の長手方向に直交する短手方向であるＹ方向から見ると発光画素はおおよそ等間隔に配置されている。この場合、発光画素の径はおよそ２５μｍである。また、配置ピッチＰｘは、４２．２５μｍであり、Ｙ方向から見た実質的な発光画素の密度は、所謂１２００ｄｐｉ相当となっている。
Ｙ方向における発光画素の配置ピッチＰｙは、発光装置３０の製造条件を考慮して適宜決められるものである。したがって、２列に跨る発光画素の配置角度θは、互いに等間隔で配置されたときの６０°に限定されない。この場合は、およそ６３°である。
【００２９】
図２（ａ）に示すように、本実施形態の発光装置３０は、長細い矩形の素子基板１と、素子基板１上において第１の方向（長手方向）に配列した複数の発光素子１０と、発光素子１０ごとに設けられ、これを駆動させる駆動素子６と、これら駆動素子６の駆動を制御する制御回路９とを一体形成したものである。発光素子１０は、前述した発光画素に対応して千鳥状に配置されている。
【００３０】
図２（ｂ）に示すように、発光素子１０は、素子基板１上に設けられた一方の電極としての陽極２と、陽極２上に順に積層された正孔注入輸送層３と、発光層４と、他方の電極としての陰極５とを有する。陽極２と陰極５とに挟まれた正孔注入輸送層３および発光層４を機能層と呼ぶこともある。
発光素子１０は、陽極２と陰極５との間に電流を流すことにより、発光層４が励起され発光するようになっている。発光素子１０の陰極５には共通配線８が接続され、陽極２には駆動素子６を介して電源線７が接続されている。この駆動素子６は、薄膜トランジスター（ＴＦＴ）等のスイッチング素子で構成されている。そして、制御回路９により駆動素子６の動作が制御され、駆動素子６により発光素子１０への通電が制御されるようになっている。
【００３１】
素子基板１は、透明あるいは半透明のものが採用される。例えば、ガラス、石英、樹脂（プラスチック、プラスチックフィルム）等が挙げられ、特にガラス基板が好適に用いられる。素子基板１の上に形成される陽極２は、例えばＩＴＯ（Indium  Tin  Oxide）などの透明導電膜からなる。
【００３２】
陽極２上に設けられる機能層（正孔注入輸送層３および発光層４）は、液体プロセスにより形成されたものである。この場合の液体プロセスとは、膜形成材料を溶媒に溶解あるいは分散させた溶液（液状組成物）を塗布して乾燥させ、溶媒を除去して膜形成材料からなる膜を形成する方法である。
【００３３】
正孔注入輸送層３の液状組成物としては、特に３，４−ポリエチレンジオシチオフェン／ポリスチレンスルフォン酸（ＰＥＤＯＴ／ＰＳＳ）の分散液、すなわち、分散媒としてのポリスチレンスルフォン酸に３，４−ポリエチレンジオキシチオフェンを分散させ、さらにこれを水に分散させた分散液が好適に用いられる。なお、正孔注入輸送層３の液状組成物は、上記に限定されず、例えば、ポリスチレン、ポリピロール、ポリアニリン、ポリアセチレンやその誘導体などを、適宜な分散媒、例えばポリスチレンスルフォン酸に分散させたものなども使用可能である。
【００３４】
発光層４の膜形成材料としては、蛍光あるいは燐光を発光することが可能な公知の発光材料が用いられる。例えば、本実施形態では、発光波長帯域が赤色に対応した発光層４が採用されている。もちろん、発光波長帯域が緑色や青色に対応した発光層４を採用するようにしてもよい。
【００３５】
具体的には、（ポリ）フルオレン誘導体（ＰＦ）、（ポリ）パラフェニレンビニレン誘導体（ＰＰＶ）、ポリフェニレン誘導体（ＰＰ）、ポリパラフェニレン誘導体（ＰＰＰ）、ポリビニルカルバゾール（ＰＶＫ）、ポリチオフェン誘導体、ポリメチルフェニルシラン（ＰＭＰＳ）などのポリシラン系などが好適に用いられる。また、これらの高分子材料に、ペリレン系色素、クマリン系色素、ローダミン系色素などの高分子系材料や、ルブレン、ペリレン、９，１０−ジフェニルアントラセン、テトラフェニルブタジエン、ナイルレッド、クマリン６、キナクリドン等の低分子材料をドープして用いることもできる。
これらの発光材料を溶解させる溶媒としては、例えばキシレンなどが挙げられる。また、インクジェットではノズルの乾燥を防止するために沸点の高い溶媒が望ましく、例えばシクロヘキシルベンゼンなどが利用される。
【００３６】
陰極５は、例えばＣａを厚さおよそ２０ｎｍ程度に形成し、さらにＡｌを厚さ２００ｎｍ程度に形成した積層構造の電極とし、Ａｌを反射層として機能させたものである。
【００３７】
このように設けられた複数の発光素子１０が、水分や酸素などの影響で発光寿命が阻害されないように、素子基板１は例えば水分や酸素などを吸着するゲッター材を介してガラス等からなる封止基板（図示省略）と接合され封着される。なお、ゲッター材は必須ではない。
【００３８】
本実施形態の発光装置３０は、発光層４からの発光を陰極５により反射させ、透明あるいは半透明な素子基板１側から取り出す、所謂ボトムエミッション型である。
発光装置３０は、ボトムエミッション型に限定されず、陰極５を透明な導電材料により構成すると共に、封止基板を透明なガラス等を用いることによって、発光層４からの発光を封止基板側から取り出すトップエミッション型とすることも可能である。
【００３９】
なお、この例では、発光素子１０を駆動する駆動素子６として、素子基板１上にＴＦＴ素子を作り込んだが、駆動素子６を素子基板１上に作り込まず、駆動素子６を外付けにしてもよい。具体的には素子基板１の端子領域に駆動素子６としてのドライバーＩＣをＣＯＧ実装する。またはドライバーＩＣを実装したフレキシブル回路基板を素子基板１に実装する方法が挙げられる。
【００４０】
また、画素列におけるダミー画素の構成は、ダミーでない発光画素と同様に発光素子１０やこれに対応する駆動素子６を備えるものであってもよいし、例えば、駆動素子６がない構成としてもよい。言い換えれば、実際に駆動可能なものでも、駆動不可能なものでもよい。
【００４１】
この発光装置３０は、例えば、後述する画像形成装置に用いられるものであって、感光体ドラムに発光素子１０からの光を照射して、その感光面を感光させるものである。そして、感光体ドラムの感光体は、発光層４の発光波長帯域に感度を持つものが採用される。
【００４２】
発光装置３０を感光体を感光させる装置として用いる場合、複数の発光素子１０ごとの発光特性（輝度特性など）がほぼ同水準で安定していることが求められる。それを実現するため理想的には、発光素子１０を構成する一対の電極（陽極２と陰極５）と一対の電極間の機能層（特に発光層４）が、所望の膜厚で一定していることが望ましい。
無機材料からなる陽極２や陰極５は、真空蒸着等の方法を採用することにより、均質な状態で所望の膜厚を確保可能である。それに比べて、液体プロセスを用いる機能層の形成は、所望の膜厚を複数の発光素子１０に亘って確保することが難しいという課題を有している。
【００４３】
そこで、上記課題を解決する発光装置３０の構成について、以下実施例を挙げて説明する。
【００４４】
（実施例１）
図３（ａ）は実施例１の発光装置の構成を示す概略平面図、同図（ｂ）は同図（ａ）のＡ−Ａ’線で切った断面図である。
【００４５】
図３（ａ）に示すように、実施例１の発光装置３０は、２つの発光素子１０を含む膜形成領域Ｅを１つの単位として区画すると共に、千鳥状に配置された複数の発光素子１０を複数の単位に区画する隔壁部１１を備えている。
隔壁部１１によって区画された各膜形成領域Ｅは、２つの発光素子１０が設けられた素子区画部１３と、素子区画部１３よりも大きな平面積を有し素子区画部１３に繋がる液溜り部１２とを有する。
【００４６】
素子区画部１３は、千鳥状に配置された複数の発光素子１０をＸ方向に交差する方向で２つずつの発光素子１０を含む領域に区分している。
素子区画部１３の閉じた側における端部および液溜り部１２の内側角部は、円弧状となっている。円弧状とすることにより膜形成領域Ｅに塗布される液状組成物の保持性が改善される。また、上記端部において隔壁部１１と発光素子１０との距離が確保される。
液溜り部１２から斜めに突出した素子区画部１３を有する膜形成領域Ｅが、Ｙ方向において上下一対に組み合わされ、組み合わされた一対の膜形成領域ＥがＸ方向に連続するように設けられている。
【００４７】
素子区画部１３は、Ｘ方向において一定の幅ｂを有し、Ｘ方向における液溜り部１２の幅ａよりも上記一定の幅ｂの方が小さい。また、素子区画部１３の面積（すなわち、図面上ではｂ×ｄで近似できる）は、液溜り部１２の面積（すなわち、図面上ではａ×ｃで近似できる）よりも小さい。よって、ａ＞ｂ、ａ×ｃ＞ｂ×ｄの関係となっている。
【００４８】
図３（ｂ）に示すように、膜形成領域Ｅにおいて、素子基板１の表面に電気的に独立した２つの陽極２が設けられている。それぞれの陽極２の外縁を覆うと共に、素子基板１の表面を覆う絶縁膜１ａが設けられている。絶縁膜１ａは例えばＳｉＯ2膜である。絶縁膜１ａで覆われていない陽極２の表面が平面的に略円形になっている。したがって、陽極２が平面的に略円形である必要はない。
【００４９】
絶縁膜１ａ上において、膜形成領域Ｅを区画するように隔壁部１１が設けられている。
【００５０】
陽極２上には、前述したように液体プロセスによって、正孔注入輸送層３と、発光層４とが形成されている。本実施形態における液体プロセスについては、後述する発光装置３０の製造方法において述べるが、隔壁部１１によって区画された膜形成領域Ｅに液状組成物を吐出ヘッドを用いて塗布し、塗布された液状組成物を乾燥させることにより、これら正孔注入輸送層３、発光層４を成膜している。成膜された発光層４と隔壁部１１とを覆うように陰極５が形成されている。
【００５１】
図３（ａ）に示すように、Ｘ方向における液溜り部１２の幅ａよりも素子区画部１３の幅ｂの方が小さいので、液溜り部１２に塗布された液状組成物を乾燥時に素子区画部１３側に流入させることが可能となっている。これにより、膜形成領域Ｅに塗布される液状組成物の濃度を低くしても、素子区画部１３において初期に充填された液状組成物の固形分よりも多くの固形分を堆積させることができ、結果的に所望の膜厚を有する膜が効率的に形成される。詳しくは、後述する発光装置３０の製造方法において説明する。
【００５２】
図４は実施例１の発光装置の製造方法を示すフローチャート、図５（ａ）〜（ｄ）および図６（ｅ）〜（ｈ）は発光装置の製造方法を示す概略図である。
【００５３】
図４に示すように、実施例１の発光装置３０の製造方法は、素子区画部１３と液溜り部１２とを有する膜形成領域Ｅを区画するように隔壁部１１を形成する隔壁部形成工程（ステップＳ１）と、隔壁部１１で区画された膜形成領域Ｅを表面処理する表面処理工程（ステップＳ２）と、膜形成領域Ｅに正孔注入輸送層３を形成する正孔注入輸送層形成工程（ステップＳ３）と、正孔注入輸送層３に積層して発光層４を形成する発光層形成工程（ステップＳ４）と、発光層４および隔壁部１１を覆うように陰極５を形成する陰極形成工程（ステップＳ５）とを備えている。なお、素子基板１上にスイッチング素子としての駆動素子６や駆動素子６を制御する制御回路９、駆動素子６に電気的に接続する陽極２の形成方法は、公知の形成方法を用いることができる。したがって、本実施形態における説明を省くと共に、詳細な図示は省略する。
【００５４】
図４のステップＳ１は、隔壁部形成工程である。ステップＳ１では、図５（ａ）に示すように、陽極２や絶縁膜１ａが形成された素子基板１の表面に、例えば感光性樹脂材料をおよそ２μｍ程度の厚みで塗布し、これを露光・現像することにより、所定のパターン形状を有する隔壁部１１を形成する。所定のパターン形状とは、２つの陽極２を含む素子区画部１３と、素子区画部１３に繋がる液溜り部１２とを有する膜形成領域Ｅを区画する形状である。感光性樹脂材料としては、フェノールまたはポリイミドなどの絶縁性を有する感光性樹脂が挙げられる。なお、隔壁部１１の高さ（厚み）は、後述する機能層の厚みよりも高くなるように設定することは言うまでもない。そして、ステップＳ２へ進む。
【００５５】
図４のステップＳ２は、表面処理工程である。ステップＳ２では、隔壁部１１が形成された素子基板１を、まずＯ2ガスを処理ガスとしてプラズマ処理する。これにより陽極２や絶縁膜１ａの表面、および隔壁部１１の表面（壁面を含む）を活性化させて親液処理する。次にＣＦ4等のフッ素系ガスを処理ガスとしてプラズマ処理する。これにより有機材料である感光性樹脂からなる隔壁部１１の表面のみにフッ素系ガスが反応して撥液処理される。すなわち、無機材料からなる陽極２や絶縁膜１ａの表面に親液性を付与し、有機材料からなる隔壁部１１の表面に撥液性を付与する表面処理を行う。なお、隔壁部１１自体が撥液性を有するならば、後段のプラズマ処理を不要とすることも可能である。そして、ステップＳ３へ進む。
【００５６】
図４のステップＳ３は、正孔注入輸送層形成工程である。ステップＳ３では、図５（ｂ）に示すように、複数のノズル２１からなるノズル列が膜形成領域Ｅを望むことが可能となるように吐出ヘッド２０と素子基板１とを対向配置する。より具体的には、素子基板１上における複数の陽極２の配列方向（Ｘ方向）に対して、ノズル列が交差（直交）するように吐出ヘッド２０と素子基板１とを対向配置する。
吐出ヘッド２０は、例えば、充填された液状組成物をノズル２１から液滴として吐出させる駆動素子としての圧電素子を備えたインクジェットヘッドである。また、吐出ヘッド２０と素子基板１のＸ方向に沿った１回の相対移動（走査）により、膜形成領域Ｅに亘って液状組成物を吐出可能なノズル数を有するものが好ましい。
【００５７】
吐出ヘッド２０には、前述した正孔注入輸送層形成材料を含む液状組成物３Ｌが充填されている。ノズル２１から液滴として安定的に吐出するために、液状組成物３Ｌは粘度が３０ｍＰａ・ｓ以下の範囲となるように正孔注入輸送層形成材料の濃度が０．５ｗｔ％〜１ｗｔ％の範囲で調整されている。これにより、図５（ｃ）に示すように、１回の走査で素子区画部１３と液溜り部１２とにほぼ同時に、所定量の液状組成物３Ｌを安定的に吐出することができる。吐出された液状組成物３Ｌは、表面処理された膜形成領域Ｅ内に濡れ広がる。また、各膜形成領域Ｅにおいて、溢れ出ない程度の所定量まで塗布（吐出）される。すると、陽極２が配列するＸ方向に直交するＹ方向から見ると、図５（ｄ）に示すように、塗布された液状組成物３Ｌは、その表面張力と隔壁部１１に対する界面張力とにより、膜形成領域Ｅにおいて盛り上がる。なお、図５（ｄ）は図５（ｂ）のＢ−Ｂ’線で切った断面図である。
【００５８】
Ｘ方向における幅ｂの素子区画部１３に充填された液状組成物３Ｌの液面曲率半径をＲ１とし、Ｘ方向における幅ａの液溜り部１２に充填された液状組成物３Ｌの液面曲率半径をＲ２とすると、Ｒ１とＲ２とは液状組成物３Ｌの表面張力による液体圧力（ラプラス圧力）が静的には接続された液体パターン内で一定となることにより決まるため、等しい値となる。この場合、幅ａは幅ｂのおよそ２倍であることからもわかるように、液溜り部１２における液状組成物３Ｌの方が素子区画部１３に比べて盛り上がる。図面上で言えば、液溜り部１２における液状組成物３Ｌの隔壁部１１から盛り上がった高さＨは、素子区画部１３における液状組成物３Ｌの隔壁部１１から盛り上がった高さｈよりも高い。
【００５９】
塗布された液状組成物３Ｌの乾燥が始まると，元から液面高さが低い素子区画部１３では高さ低下量に対する液面曲率半径Ｒ１の増加が液溜り部１２の液面曲率半径Ｒ２の増加より大きいため、液溜り部１２に充填された液状組成物３Ｌの内圧が素子区画部１３に比べて高くなり、内圧の差が生ずる。したがって、分散媒（あるいは溶媒）の蒸発に伴って、図６（ｅ）に示すように、液溜り部１２から素子区画部１３に向かって、液状組成物３Ｌの分散媒（あるいは溶媒）の移動が起こる。分散媒（あるいは溶媒）に含まれる正孔注入輸送層形成材料も同時に移動する。少なくとも高さＨで盛り上がった部分の液状組成物３Ｌが液溜り部１２から素子区画部１３へ移動する。
そして、図６（ｆ）に示すように、乾燥後には、素子区画部１３において正孔注入輸送層３が陽極２上に積層形成される。このとき、液溜り部１２にも正孔注入輸送層３が成膜されるが、その膜厚は素子区画部１３よりも小さい。言い換えれば、素子区画部１３において、液溜り部１２よりも厚い所望の膜厚を有する正孔注入輸送層３が形成される。この場合の所望の膜厚は、およそ５０ｎｍ〜１００ｎｍの範囲である。
隔壁部１１の高さは前述したようにおよそ２μｍである。したがって、正孔注入輸送層３の膜厚に比べて十分に高く、乾燥過程で素子区画部１３における液状組成物３Ｌの液面が図５（ｄ）に示す凸状から凹状となっても、素子区画部１３への液状組成物３Ｌの流入を可能としている。そして、ステップＳ４へ進む。
【００６０】
図４のステップＳ４は、発光層形成工程である。ステップＳ４では、ステップＳ３と同様にして、吐出ヘッド２０と素子基板１とを対向配置し、吐出ヘッド２０によって素子基板１を走査して、ノズル２１から発光層形成材料を含む液状組成物４Ｌを吐出する。液状組成物４Ｌも液状組成物３Ｌと同様に、粘度が３０ｍＰａ・ｓ以下の範囲となるように発光層形成材料の濃度が０．５ｗｔ％〜１ｗｔ％の範囲で調整されている。すると、図５（ｃ）および（ｄ）に示すように、吐出された液状組成物４Ｌは膜形成領域Ｅおいて濡れ広がり、盛り上がる。塗布された液状組成物４Ｌを乾燥すると、図６（ｅ）に示すように、液溜り部１２から素子区画部１３に液状組成物４Ｌの移動が生ずる。これにより、図６（ｇ）に示すように、素子区画部１３において、液溜り部１２よりも厚い所望の膜厚を有する発光層４が正孔注入輸送層３を覆って形成される。この場合の発光層４の所望の膜厚は、およそ１００ｎｍである。そして、ステップＳ５へ進む。
【００６１】
図４のステップＳ５は、陰極形成工程である。ステップＳ５では、図６（ｈ）に示すように、素子基板１の発光層４と隔壁部１１の表面とを覆うように陰極５を形成する。陰極５の材料としては、Ｃａ、Ｂａ、Ａｌ等の金属やＬｉＦ等のフッ化物を組み合わせて用いるのが好ましい。特に発光層４に近い側に仕事関数が小さいＣａ、Ｂａ、ＬｉＦの膜を形成し、遠い側に仕事関数が大きいＡｌ等の膜を形成するのが好ましい。また、陰極５の上にＳｉＯ2、ＳｉＮ等の保護層を積層してもよい。このようにすれば、陰極５の酸化を防止することができる。陰極５の形成方法としては、蒸着法、スパッタ法、ＣＶＤ法等が挙げられる。特に発光層４の熱による損傷を防止できるという点では、蒸着法が好ましい。
【００６２】
上記ステップＳ３およびステップＳ４では、低粘度で低濃度な液状組成物３Ｌ，４Ｌを膜形成領域Ｅに吐出して、素子区画部１３の陽極２上に所望の膜厚を有する膜を形成している。所望の膜厚を得るには、乾燥過程において液溜り部１２が充填された液状組成物３Ｌ，４Ｌを素子区画部１３側に供給する機能を果たすことが重要である。
それには、素子区画部１３と液溜り部１２とにおいて塗布された液状組成物３Ｌ，４Ｌの内圧の差を生じさせる必要がある。したがって、膜形成領域Ｅの設計上の条件としては、次の関係が挙げられる。図５（ｄ）を参照して説明する。
【００６３】
図５（ｄ）に示したように、素子区画部１３の液面曲率半径Ｒ１は、数式（１）のように近似できる。
Ｒ１≒２ｈ／ｂ2  ・・・・・（１）
【００６４】
同様にして、液溜り部１２の液面曲率半径Ｒ２は、数式（２）のように近似できる。ｃは、液溜り部１２のＹ方向の幅である（図３（ａ）参照）。
Ｒ２≒２Ｈ／ａ2＋２Ｈ／ｃ2  ・・・・・（２）
【００６５】
前述したようにＲ１＝Ｒ２であるから、数式（３）が得られる。
２ｈ／ｂ2＝２Ｈ（１／ａ2＋１／ｃ2）  ・・・・・（３）
【００６６】
上記内圧の差が生じる状態、すなわちｈ＜Ｈとして上記数式（３）を満足させるには、次の数式（４）の関係が導かれる。
１／ｂ2＞１／ａ2＋１／ｃ2  ・・・・（４）
したがって、数式（４）を満たす、幅ａ、幅ｂ、幅ｃの設定を考慮する必要がある。また、前述したように液溜り部１２において隔壁部１１から高さＨで盛り上がった部分の液状組成物３Ｌ，４Ｌが少なくとも素子区画部１３に流入する。それゆえに、素子区画部１３において形成される膜が所望の膜厚となるように、素子区画部１３の面積に対して液溜り部１２の面積の設定を考慮する必要がある。
なお、図５（ｄ）に示すように、フォトリソグラフィ法で形成した隔壁部１１のＸ方向（およびＹ方向）における断面形状は、傾斜した内壁面を有する。したがって、傾斜した内壁面を考慮して幅ａ、幅ｂ、幅ｃの代表的な寸法を特定しているが、液状組成物３Ｌ，４Ｌが隔壁部１１から盛り上がり始める部分を起点として寸法を特定することが望ましい。
【００６７】
上記実施例１の発光装置３０およびその製造方法によれば、少なくとも１２２８８０個の発光素子１０が、２個ずつに区分された膜形成領域Ｅを区画する隔壁部１１を有している。そして、吐出ヘッド２０から各膜形成領域Ｅに所定量の液状組成物３Ｌ，４Ｌがそれぞれ安定的に吐出される。膜形成領域Ｅにおいて発光素子１０が設けられていない液溜り部１２は、液状組成物３Ｌ，４Ｌを溜める液溜りとして機能するだけでなく、乾燥過程において液状組成物３Ｌ，４Ｌを素子区画部１３に供給する機能を有する。
それゆえ、所望の膜厚を有する正孔注入輸送層３と発光層４とからなる機能層が素子区画部１３において形成される。したがって、面積の小さな膜形成領域Ｅを単位として、該単位内において所望の膜厚を有する機能層が得られるので、多数の発光素子１０の全体を隔壁部で区画して膜形成領域を構成する特許文献１〜特許文献３の従来の発光装置に比べて、安定した発光特性を有する複数（１２２８８０個）の発光素子１０を備えた発光装置３０を実現することができる。
【００６８】
（実施例２）
図７は実施例２の発光装置の構成を示す概略平面図である。以降、同じ構成の部分には同じ符号を付し説明を省略するものとする。図７に示すように、実施例２の発光装置３０Ａは、実施例１に対して、液溜り部１２に２つの素子区画部１３ａ，１３ｂが繋がっている。素子区画部１３ａ，１３ｂにはそれぞれ２個ずつの発光素子１０が設けられている。
実施例２の発光装置３０Ａの製造方法は、基本的に実施例１と同様であって、膜形成領域Ｅに所定量の液状組成物３Ｌ，４Ｌを吐出することにより、乾燥過程で液溜り部１２から２つの素子区画部１３ａ，１３ｂに液状組成物３Ｌ，４Ｌが流入して、所望の膜厚を有する正孔注入輸送層３と発光層４とからなる機能層が素子区画部１３ａ，１３ｂにおいて形成される。よって、４個の発光素子１０が１つの単位として形成される。
実施例１のように２個の発光素子１０を１つの単位として形成する場合に比べて、実施例２では、発光素子１０間の機能層の膜厚がより平準化される。すなわち、発光素子１０間のばらつきが少なくなり、より安定した発光特性を有する発光装置３０Ａを提供できる。なお、液溜り部１２に繋がる素子区画部１３の数は、２つに限定されない。
【００６９】
（実施例３）
図８は実施例３の発光装置の構成を示す概略平面図である。実施例３の発光装置３０Ｂは、実施例２に対して画素列の列方向（Ｘ方向）に交差する方向（Ｙ方向）において、素子区画部１３ａ，１３ｂの両側に液溜り部１２が設けられている。すなわち、図８に示すように、膜形成領域Ｅは、２つの液溜り部１２ａ，１２ｂと、これら液溜り部１２ａ，１２ｂに繋がった２つの素子区画部１３ａ，１３ｂを有している。素子区画部１３ａ，１３ｂにはそれぞれ２個ずつの発光素子１０が設けられている。また、２つの素子区画部１３ａ，１３ｂを仕切る隔壁部１１の一部である仕切り部１１ａを有している。
仕切り部１１ａの両方の端部１１ｂは、他の仕切り部１１ａに比べてＸ方向における幅が広くなっている。この場合、上記端部１１ｂが略円形となっているが、これに限定されず、例えば楕円形や多角形の形状としてもよい。
【００７０】
実施例３の構成によれば、乾燥過程で２つの液溜り部１２ａ，１２ｂから２つの素子区画部１３ａ，１３ｂに液状組成物３Ｌ，４Ｌが流入して、正孔注入輸送層３と発光層４とからなる機能層が素子区画部１３ａ，１３ｂにおいて形成される。したがって、液状組成物３Ｌ，４Ｌの濃度が実施例２と同じならば、実施例２に比べて、より厚い膜厚の機能層を形成可能である。言い換えれば、実施例２よりも低い濃度の液状組成物３Ｌ，４Ｌを所定量塗布することにより、所望の膜厚を有する機能層を形成することができる。低い濃度でよければ、液状組成物３Ｌ，４Ｌをより低粘度とすることができ、より安定的に吐出ヘッド２０から吐出できる。また、膜形成材料の無駄を省くことが可能である。
また、仕切り部１１ａは、他の部分に比べて幅の広い端部１１ｂを有しているので、素子区画部１３ａ，１３ｂと液溜り部１２ａ，１２ｂとの接続部分におけるＸ方向の幅が狭くなる。このような膜形成領域Ｅに液状組成物３Ｌ，４Ｌを塗布すると、上記接続部分がオリフィスの役目を果たし、液溜り部１２ａ，１２ｂから素子区画部１３ａ，１３ｂへと流入する液状組成物３Ｌ，４Ｌの流入速度を速めることができる。すなわち、より円滑な流入が図られる。なお、幅の広い端部１１ｂを設けることは必須ではない。
【００７１】
（実施例４）
図９は実施例４の発光装置の構成を示す概略平面図である。実施例４の発光装置３０Ｃは、実施例３に対して隣り合う膜形成領域Ｅにおいて、素子区画部１３ａ，１３ｂの両側に設けられた液溜り部１２ａ，１２ｂのうちの一方を共有する構成としたものである。すなわち、図９に示すように、一方の膜形成領域ＥがＸ方向において隣り合う他方の膜形成領域Ｅと連通した状態となっている。具体的には、素子区画部１３ａ，１３ｂは２つの液溜り部１２ａ，１２ｂに接続している。隣り合う膜形成領域Ｅの素子区画部１３ｃは、共有した液溜り部１２ａに繋がっている。素子区画部１３ａ，１３ｂ，１３ｃにはそれぞれ２個ずつの発光素子１０が設けられている。
【００７２】
実施例４の構成によれば、多数の発光素子１０間において、機能層の膜厚の平準化が図られ、その結果、よりばらつきが少なく安定した発光特性を有する発光装置３０Ｃが得られる。なお、隣り合う膜形成領域Ｅを連通させる上記構成は、すべての膜形成領域Ｅに亘って適用される必要はなく、画素列の列方向（Ｘ方向）において部分的あるいは選択的に適用してもよい。部分的あるいは選択的な機能膜の膜厚の平準化を図ることができる。
【００７３】
上記実施例１〜実施例４において共通する技術的な事項としては、画素列の列方向（Ｘ方向）において、各発光素子１０は隔壁部１１または仕切り部１１ａからほぼ一定の距離をおいて配置されている。言い換えれば、隔壁部形成工程では、千鳥状に配置された陽極２に対しＸ方向において一定の距離をおいて隔壁部１１や仕切り部１１ａを形成する。該一定の距離が少なくとも３μｍ以上必要であることは、すでに特許文献１にも開示されている。これにより、液体プロセスを用いて機能層を形成する際に、所望の膜厚が得られるだけでなく、Ｘ方向における機能層の断面形状がほぼ一定となる。すなわち、膜厚の分布に起因する輝度むらを低減することができる。
【００７４】
（実施例５）
図１０は実施例５の発光装置の構成を示す概略平面図である。実施例５の発光装置３０Ｄは、実施例３に対して、１つの素子区画部１３に設けられる発光素子１０の数を増やしたものである。具体的には、図１０に示すように、２つの素子区画部１３ａ，１３ｂにはそれぞれ４つの発光素子１０が設けられている。素子区画部１３ａにおいては、千鳥状に配置された複数の発光素子１０のうち、Ｘ方向と交差する方向に配列した発光素子１０ａと発光素子１０ｂとからなる発光素子列１０Ａと、同じくＸ方向と交差する方向に配列した発光素子１０ｃと発光素子１０ｄとからなる発光素子列１０Ｂとが設けられている。
前述したように、Ｘ方向において発光素子列１０Ａは隔壁部１１から一定の距離をおいた位置に設けられている。同様に発光素子列１０Ｂは仕切り部１１ａから一定の距離をおいた位置に設けられている。したがって、液体プロセスを用いて機能層を形成する際に、所望の膜厚が得られるだけでなく、発光素子列１０Ａと発光素子列１０Ｂとにおいて、Ｘ方向における機能層の断面形状が発光素子列方向を基準としてほぼ線対称となる。よって、機能層の断面形状のばらつきに起因する輝度むらを低減することができる。
すなわち、実施例３や実施例５の構成に見られるように、安定した膜厚と膜の断面形状を得るには、素子区画部１３は１列または２列の発光素子列を有する構成とすることが好ましい。
【００７５】
（実施形態２）
次に、実施形態１の電気光学装置としての発光装置を適用した光書き込みヘッド、および光書き込みヘッドを備えた電子機器としての画像形成装置について説明する。図１１は光書き込みヘッドの構成を示す概略斜視図、図１２は画像形成装置の構成を示す概略断面図である。
【００７６】
（光書き込みヘッド）
図１１に示すように、本実施形態の光書き込みヘッド８０は、上記実施形態１の発光装置３０（あるいは発光装置３０Ａ，３０Ｂ，３０Ｃ，３０Ｄのいずれか）と、発光装置３０を支持する支持体３１と、結像レンズユニット３２とを備えている。図中のＸ方向は千鳥状に配列した発光画素の配列方向であり、Ｙ方向はＸ方向に直交する方向である。光書き込みヘッド８０は、その長軸をＸ方向に一致させると共に感光体ドラム４１の母線に沿うように、感光体ドラム４１の外周面に対して配設される。支持体３１は、感光体ドラム４１側が開口されており、感光体ドラム４１に向かって光を射出するように発光装置３０を支持固定している。
【００７７】
結像レンズユニット３２は、内部に例えばセルフォック（登録商標）レンズアレイなどのレンズ群（図示省略）を備えており、発光装置３０と感光体ドラム４１との間に位置するように支持体３１に支持固定されている。結像レンズユニット３２は、発光装置３０における発光素子１０からの発光を一端側で集光し、その他端側から射出して感光体ドラム４１の外周面に照射して静電潜像を形成する。
【００７８】
（画像形成装置）
図１２に示すように、本実施形態の画像形成装置１００は、上記光書き込みヘッド８０（Ｋ、Ｃ、Ｍ、Ｙ）を、対応する同様な構成である４個の感光体ドラム（像担持体）４１Ｋ，４１Ｃ，４１Ｍ，４１Ｙの露光装置にそれぞれ配置したタンデム方式として構成されたものである。
【００７９】
画像形成装置１００は、駆動ローラー９１と従動ローラー９２とテンションローラー９３とを備え、これら各ローラーに中間転写ベルト９０を、図１２中矢印方向（反時計方向）に循環駆動するよう張架したものである。この中間転写ベルト９０に対して、感光体ドラム４１Ｋ，４１Ｃ，４１Ｍ，４１Ｙが所定間隔で配置されている。これら感光体ドラム４１Ｋ，４１Ｃ，４１Ｍ，４１Ｙは、その外周面が像担持体としての感光層となっている。
【００８０】
ここで、上記符号中のＫ、Ｃ、Ｍ、Ｙは、それぞれ黒、シアン、マゼンタ、イエローを意味し、それぞれ黒、シアン、マゼンタ、イエロー用の感光体であることを示している。
なお、これら符号（Ｋ、Ｃ、Ｍ、Ｙ）の意味は、他の部材についても同様である。感光体ドラム４１Ｋ，４１Ｃ，４１Ｍ，４１Ｙは、中間転写ベルト９０の駆動と同期して、図１２中矢印方向（時計方向）に回転駆動するようになっている。
【００８１】
各感光体ドラム４１（Ｋ、Ｃ、Ｍ、Ｙ）の周囲には、それぞれ感光体ドラム４１（Ｋ、Ｃ、Ｍ、Ｙ）の外周面を一様に帯電させる帯電手段（コロナ帯電器）４２（Ｋ、Ｃ、Ｍ、Ｙ）と、この帯電手段４２（Ｋ、Ｃ、Ｍ、Ｙ）によって一様に帯電させられた外周面を感光体ドラム４１（Ｋ、Ｃ、Ｍ、Ｙ）の回転に同期して順次ライン走査する光書き込みヘッド８０（Ｋ、Ｃ、Ｍ、Ｙ）とが設けられている。
【００８２】
また、光書き込みヘッド８０（Ｋ、Ｃ、Ｍ、Ｙ）で形成された静電潜像に現像剤であるトナーを付与して可視像（トナー像）とする現像装置４４（Ｋ、Ｃ、Ｍ、Ｙ）と、現像装置４４（Ｋ、Ｃ、Ｍ、Ｙ）で現像されたトナー像を一次転写対象である中間転写ベルト９０に順次転写する転写手段としての一次転写ローラー４５（Ｋ、Ｃ、Ｍ、Ｙ）とが設けられている。また、転写された後に感光体ドラム４１（Ｋ、Ｃ、Ｍ、Ｙ）の表面に残留しているトナーを除去するクリーニング手段としてのクリーニング装置４６（Ｋ、Ｃ、Ｍ、Ｙ）が設けられている。
【００８３】
各光書き込みヘッド８０（Ｋ、Ｃ、Ｍ、Ｙ）は、発光画素（発光素子１０）の配列方向（Ｘ方向）が感光体ドラム４１（Ｋ、Ｃ、Ｍ、Ｙ）の回転軸に平行となるように設置されている。そして、各光書き込みヘッド８０（Ｋ、Ｃ、Ｍ、Ｙ）の発光エネルギーピーク波長と、感光体ドラム４１（Ｋ、Ｃ、Ｍ、Ｙ）の感度ピーク波長とが略一致するように設定されている。
【００８４】
現像装置４４（Ｋ、Ｃ、Ｍ、Ｙ）は、例えば、現像剤として非磁性一成分トナーを用いる。そして、その一成分現像剤を例えば供給ローラーで現像ローラーへ搬送し、現像ローラー表面に付着した現像剤の膜厚を規制ブレードで規制し、その現像ローラを感光体ドラム４１（Ｋ、Ｃ、Ｍ、Ｙ）に接触させあるいは押圧せしめることにより、感光体ドラム４１（Ｋ、Ｃ、Ｍ、Ｙ）の電位レベルに応じて現像剤を付着させ、トナー像として現像するものである。
【００８５】
このような４色の単色トナー像形成ステーションにより形成された黒、シアン、マゼンタ、イエローの各トナー像は、一次転写ローラー４５（Ｋ、Ｃ、Ｍ、Ｙ）に印加される一次転写バイアスによって中間転写ベルト９０上に順次一次転写される。そして、中間転写ベルト９０上で順次重ね合わされてフルカラーとなったトナー像は、二次転写ローラー６６において用紙等の記録媒体Ｐに二次転写され、さらに定着部である定着ローラー対６１を通ることで記録媒体Ｐ上に定着される。その後、排紙ローラー対６２によって装置上部に形成された排紙トレイ６８上に排出される。
【００８６】
なお、図１２中の符号６３は多数枚の記録媒体Ｐが積層保持されている給紙カセット、符号６４は給紙カセット６３から記録媒体Ｐを一枚ずつ給送するピックアップローラー、符号６５は二次転写ローラー６６の二次転写部への記録媒体Ｐの供給タイミングを規定するゲートローラー対、符号６７は二次転写後に中間転写ベルト９０の表面に残留しているトナーを除去するクリーニング手段としてのクリーニングブレードである。
【００８７】
このように画像形成装置１００には、図１１に示した発光装置３０を有する光書き込みヘッド８０が露光手段として備えられている。したがって、１２００ｄｐｉの密度で配置された発光素子１０の発光特性（輝度特性など）が安定しているため、露光後に高精細でくっきりとした画像を得ることができる。なお、光書き込みヘッド８０を備えた画像形成装置１００は上記実施形態に限定されることなく、種々の変形が可能である。
【００８８】
上記実施形態以外にも様々な変形例が考えられる。以下、変形例を挙げて説明する。
【００８９】
（変形例１）上記実施形態１の発光装置３０において、発光素子１０の配置および膜形成領域Ｅの構成は、これに限定されない。図１３は変形例の発光装置の構成を示す概略平面図である。例えば、図１３に示すように、変形例の発光装置３０Ｅは、Ｘ方向において等間隔に配置された複数の発光素子１０からなる発光素子列をＸ方向にずらすことなく、Ｙ方向に複数行（図中では３行）有する。このように配列した発光素子１０を選択的に駆動すれば、千鳥状に配列した場合と同様に感光体ドラムを感光させることができる。
膜形成領域Ｅは、Ｙ方向に沿って配列する３個の発光素子１０をそれぞれに含む３つの素子区画部１３ａ，１３ｂ，１３ｃと、素子区画部１３ａ，１３ｂ，１３ｃに繋がると共に両側に設けられた液溜り部１２ａ，１２ｂとを有する。
すなわち、発光素子１０の配列は千鳥状に限定されない。また、前述したように液溜り部１２に複数の素子区画部１３を繋ぐ構成としてもよい。さらに、素子区画部１３に含まれる発光素子１０は少なくとも１個でよく、複数とすることが機能層（特に発光層４）の膜厚を平準化する点で好ましい。
【００９０】
（変形例２）上記実施形態１の発光装置３０において、発光素子１０の構成は、これに限定されない。例えば、機能層は、正孔注入層、正孔輸送層、発光層、電子輸送層などの複数層の有機膜からなる構成としてよい。また、機能層のすべてを液体プロセスで形成せずともよく、少なくとも発光層４を液体プロセスで形成する構成であれば、上記実施形態１の発光装置３０（３０Ａ，３０Ｂ，３０Ｃ，３０Ｄ）およびその製造方法を適用することができる。
【００９１】
（変形例３）上記実施形態１の発光装置３０（３０Ａ，３０Ｂ，３０Ｃ，３０Ｄ）を適用する電気光学装置は、光書き込みヘッド８０に限定されない。例えば、単色の発光素子１０を複数備えた照明装置、表示装置等にも適用することができる。
【００９２】
（変形例４）上記実施形態２の電気光学装置としての発光装置３０（３０Ａ，３０Ｂ，３０Ｃ，３０Ｄ）を備えた電子機器は、画像形成装置１００に限定されない。例えば、単色の発光素子１０を複数備えた表示装置を搭載した情報処理端末装置等にも適用することができる。
また、液体プロセスで形成される電気光学素子は発光素子に限定されず、例えば光感応性の半導体素子により構成される受光素子としてもよい。そして、複数の受光素子が一定の方向に多数千鳥状に配列した電気光学装置としての受光ヘッドとする。該受光ヘッドを搭載する電子機器としては、例えば、原稿に照射された光の反射光を該受光ヘッドにより読み取る画像読み取り装置が挙げられる。
【符号の説明】
【００９３】
１…基板としての素子基板、１０…電気光学素子としての発光素子、１０Ａ，１０Ｂ…素子列としての発光素子列、１１…隔壁部、１１ａ…仕切り部、１１ｂ…仕切り部の端部、１２…液溜り部、１３…素子区画部、３０，３０Ａ，３０Ｂ，３０Ｃ，３０Ｄ，３０Ｅ…電気光学装置としての発光装置、８０…光書き込みヘッド、１００…電子機器としての画像形成装置、ａ…液溜り部の幅、ｂ…素子区画部の幅、Ｅ…膜形成領域。
【図１】
2010182473.tif 000003
【図２】
2010182473.tif 000004
【図３】
2010182473.tif 000005
【図４】
2010182473.tif 000006
【図５】
2010182473.tif 000007
【図６】
2010182473.tif 000008
【図７】
2010182473.tif 000009
【図８】
2010182473.tif 000010
【図９】
2010182473.tif 000011
【図１０】
2010182473.tif 000012
【図１１】
2010182473.tif 000013
【図１２】
2010182473.tif 000014
【図１３】
2010182473.tif 000015